(57)【要約】【課題】身長差のある幼児の使い勝手を向上できる幼児用手洗い台を提供する。【解決手段】比較的高位に位置する高位水栓2、4と比較的低位に位置する低位水栓6とを有する。これに対応してカウンタ10は高位水栓2,4に対応して比較的高位に位置する高位カウンタ部分と、低位水栓6に対応して比較的低位に位置する低位カウンタ部分を有する。カウンタの後端縁から上方に延びるバックガード壁12を更に有している。【選択図】図１
2014136018.tif 000002
【特許請求の範囲】
【請求項１】
複数の水栓と、
該複数の水栓から出る水を受けるシンクと、
該シンクを包囲するカウンタと、
該カウンタを支えるキャビネットとを有し、
前記複数の水栓が、比較的高位に位置する高位水栓と、比較的低位に位置する低位水栓とを有し、
前記カウンタが、前記高位水栓に対応して比較的高位に位置する高位カウンタ部分と、前記低位水栓に対応して比較的低位に位置する低位カウンタ部分を有することを特徴とする幼児用手洗い台。
【請求項２】
前記カウンタの後端縁から上方に延びるバックガード壁を更に有する、請求項１に記載の幼児用手洗い台。
【請求項３】
合成樹脂製の台輪を更に有し、
該台輪の上に前記幼児用手洗い台が載置される、請求項１又は２に記載の幼児用手洗い台。
【請求項４】
前記複数の水栓の各々に対応した独立したシンクを有する、請求項１〜３のいずれか一項に記載の幼児用手洗い台。
【請求項５】
前記水栓に隣接して配置され且つ液体石鹸を入れたボトルを受けるボトル置き凹部を更に有する、請求項１又は２に記載の幼児用手洗い台。
【発明の詳細な説明】
【技術分野】
【０００１】
この発明は幼児用手洗い台に関し、より詳しくは幼児が集団活動する例えば保育園や幼稚園の室内に好適に設置可能な幼児用手洗い台に関する。
【背景技術】
【０００２】
保育園や幼稚園の室内に手洗い場を作るのに好適な幼児用手洗い台が知られており、複数の会社を通じて市販されている。この種の手洗い台は、横並びに設置された複数の水栓と、これを受けるシンクとを有している。園児は、横に並んだ状態で手洗いを行うことができる。
【０００３】
特許文献１に見られるように、現在市販の幼児用手洗い台は水栓が同じ高さ位置に配置されている点で共通している。また、横並びに配置された複数の水栓に対して、これら複数の水栓の水を受けるための一つのシンクが配置され、どの水栓を使って手洗いしたとしても共通のシンクを通じて排水されるようになっている。
【先行技術文献】
【特許文献】
【０００４】
【特許文献１】実用新案登録第３１７８３３６号公報
【発明の概要】
【発明が解決しようとする課題】
【０００５】
幼児はその年齢が同じ又は年齢差が僅かであったとしても、その身長差は大きい。また、室内に水洗い場を作るために手洗い台を設置することから、長期に亘って使用することに伴うフローリングの損傷を防止する対策が求められる。
【０００６】
本発明の目的は、身長差のある幼児の使い勝手を向上できる幼児用手洗い台を提供することにある。
本発明の更なる目的は、長期に亘る使用に伴うフローリングの損傷を防止することのできる幼児用手洗い台を提供することにある。
【課題を解決するための手段】
【０００７】
上記の技術的課題は、本発明によれば、
複数の水栓と、
該複数の水栓から出る水を受けるシンクと、
該シンクを包囲するカウンタと、
該カウンタを支えるキャビネットとを有し、
前記複数の水栓が、比較的高位に位置する高位水栓と、比較的低位に位置する低位水栓とを有し、
前記カウンタが、前記高位水栓に対応して比較的高位に位置する高位カウンタ部分と、前記低位水栓に対応して比較的低位に位置する低位カウンタ部分を有することを特徴とする幼児用手洗い台を提供することにより達成される。
【０００８】
本発明の手洗い台によれば、比較的身長の高い幼児も身長の低い幼児も自分の身長の大きさに応じて使い勝手の良い水栓を使うことができる。
【０００９】
本発明の好ましい実施形態では、合成樹脂製の台輪を更に有し、該台輪の上に前記幼児用手洗い台が載置される。これにより室内に手洗い場を作るためにフローリングの上に設置した幼児用手洗い台の下に水が侵入するのを合成樹脂製の台輪によって効果的に防止することができる。
【図面の簡単な説明】
【００１０】
【図１】第１実施例の手洗い台の斜視図である。
【図２】第１実施例の手洗い台の正面図である。
【図３】第１実施例の手洗い台の平面図である。
【図４】第１実施例の手洗い台の左側面図である。
【図５】第１実施例の手洗い台の右側面図である。
【図６】第１実施例の手洗い台の底面図である。
【図７】第１実施例の手洗い台の背面図である。
【図８】図２のＡ−Ａ線に沿って切断した断面図である。
【図９】図３のＢ−Ｂ線に沿って切断した断面図である。
【図１０】第２実施例の手洗い台の斜視図である。
【図１１】第２実施例の手洗い台の正面図である。
【図１２】第２実施例の手洗い台の平面図である。
【図１３】第２実施例の手洗い台の左側面図である。
【図１４】第２実施例の手洗い台の右側面図である。
【図１５】第２実施例の手洗い台の底面図である。
【図１６】第２実施例の手洗い台の背面図である。
【図１７】図１１のＡ−Ａ線に沿って切断した断面図である。
【図１８】図１２のＢ−Ｂ線に沿って切断した断面図である。
【発明を実施するための形態】
【実施例】
【００１１】
以下に、添付の図面に基づいて本発明の好ましい実施例を説明する。
【００１２】
第１実施例（図１〜図９）：
図１〜図９は第１実施例の幼児用手洗い台１００を示す。図１は斜め前方から見た斜視図である。図２は正面図である。図３は平面図である。図４は左側面図である。図５は右側面図である。図６は幼児用手洗い台１００を下から見た底面図である。図７は背面図である。図８は図２のＡ−Ａ線に沿って切断した断面図である。図９は図３のＢ−Ｂ線に沿って切断した断面図である。
【００１３】
主に図１を参照して、第１実施例の幼児用手洗い台１００は、横並びに第１〜第３の３つの水栓２、４、６を有し、これら３つの水栓２、４、６及び水栓ハンドル２ａ、４ａ、６ａは丸みを基調とした形状を有している。これら第１〜第３の水栓２、４、６に対して共通のシンク８を備えたカウンタ１０は平面視長方形の形状を有しているが、カウンタ１０の４つの角部は丸みを有している。カウンタ１０の奥側には上方に起立したバックガード壁１２を有し、このバックガード壁１２によって跳ね散る水が室内の壁面（図示せず）に付着するのを防止できる。
【００１４】
図中、参照符号１４は、液体石鹸を入れたボトル（図示せず）を受けるボトル置き凹部を示す。この凹部１４は、第１、第２の水栓２、４の間と、第３の水栓６の隣に形成されている（図３）。
【００１５】
シンク８には、その側壁に、水が溢れ出すのを阻止するためにオーバーフロー防止排水口１５が形成されている。また、シンク８の底面には、排水口１６に向けて横方向に延びる細長い隆起１８が複数形成されており（図３）、この細長い隆起１８によって絵の具皿を底面に置いても、絵の具皿が排水口１６に向けて流されてしまうのを防止することができる。細長い隆起１８は千鳥状に配置させてもよい。
【００１６】
引き続き図１を参照するとカウンタ１０が段付き形状を有しているのが分かるであろう。すなわち、第１、第２の水栓２、４は相対的に高位にあり、向かって最も右に位置する第３の水栓６は相対的に低位にある。これに対応してカウンタ１０は高位カウンタ部分と低位カウンタ部分とを有している。したがって、比較的背の高い園児は左側に位置する第１、第２の高位水栓２、４を使うのが都合が良く、比較的背の低い園児は最も右に位置している第３の低位水栓６を使うのが都合が良い。この二段カウンタ１０はＦＲＰの一体成型品で作られている。
【００１７】
カウンタ１０を支えるキャビネット２０は、ドア２２を開くことによって洗剤やバケツを収容することができるが、これらを受ける棚は図示を省略したが複数の互いに間隔を隔てて並置した横パイプで構成するのがよい。キャビネット２０のドア２２はシリンダ錠２４によってロックできる。
【００１８】
手洗い台１００は、室内のフローリング床の上に置いた台輪２８の上に設置されるのが好ましい。台輪２８は樹脂製であるのが良く、この樹脂製の台輪２８によってフローリング床に落ちた水が手洗い台１００の下部に侵入するのを阻止することができる。
【００１９】
第２実施例（図１０〜図１８）：
図１０〜図１８は第２実施例の幼児用手洗い台２００を示す。図１０は斜め前方から見た斜視図である。図１１は正面図である。図１２は平面図である。図１３は左側面図である。図１４は右側面図である。図１５は幼児用手洗い台２００を下から見た底面図である。図１６は背面図である。図１７は図１１のＡ−Ａ線に沿って切断した断面図である。図１８は図１２のＢ−Ｂ線に沿って切断した断面図である。
【００２０】
前述した第１実施例と同じ要素には同じ参照符号を付すことによりその説明を省略して、第２実施例の特徴部分を中心に説明する。この第２実施例の幼児用手洗い台２００は、カウンタ３０はアクリル系の人造大理石で作られている。また、シンク３２はステンレス製であり、各水栓２、４、６毎に独立した３つのシンク３２ａ、３２ｂ、３２ｃで構成されている。
【００２１】
この第２実施例の幼児用手洗い台２００は、比較的高位に位置する第１、第２の２つの高位水栓２、４を備えた第１ユニット４０と、比較的低位に位置する第３の一つの低位水栓６を備えた第２ユニット４２とを隣り合わせで組み合わせることにより構成されており、第１、第２のユニット４０、４２の間つまり第１ユニット４０のカウンタ３０（１）と第２ユニット４２のカウンタ３０（２）との重なり合う部分にはコーキング溝が形成されて防水性が確保されている。
【００２２】
以上、第１、第２実施例を説明したが、これら第１、第２実施例の変形例として、第１、第２の高位水栓２、４を向かって右側に配置させ、第３の低位水栓６を左側に配置してもよい。勿論、水栓２、４、６の数は任意であり、例えば第３の低位水栓６を２つ設けてもよい。
【符号の説明】
【００２３】
１００  第１実施例の手洗い台
２  第１水栓（高位水栓）
４  第２水栓（高位水栓）
６  第３水栓（低位水栓）
８  シンク
１０  カウンタ
１２  起立壁（バックガード）
２０  キャビネット
２００  第２実施例の手洗い台
【図１】
2014136018.tif 000003
【図２】
2014136018.tif 000004
【図３】
2014136018.tif 000005
【図４】
2014136018.tif 000006
【図５】
2014136018.tif 000007
【図６】
2014136018.tif 000008
【図７】
2014136018.tif 000009
【図８】
2014136018.tif 000010
【図９】
2014136018.tif 000011
【図１０】
2014136018.tif 000012
【図１１】
2014136018.tif 000013
【図１２】
2014136018.tif 000014
【図１３】
2014136018.tif 000015
【図１４】
2014136018.tif 000016
【図１５】
2014136018.tif 000017
【図１６】
2014136018.tif 000018
【図１７】
2014136018.tif 000019
【図１８】
2014136018.tif 000020